(57)【特許請求の範囲】
【請求項１】
一端が鉄骨に取着され、コンクリート壁体の施工の際に型枠を保持する型枠固定ステーであって、芯体の外周に弾性体が配されており、該弾性体の外周には鞘管が配されると共に、前記鉄骨と前記鞘管との間に弾性部材からなる座金が取着されていることを特徴とする型枠固定ステー。
【発明の詳細な説明】
【０００１】
【産業上の利用分野】
本発明は鉄筋コンクリートの壁体の施工に用いる型枠固定ステーに関するものである。
【０００２】
【従来の技術】
建物の外壁等に用いる鉄筋コンクリート製の壁を施工する場合、地面を掘った垂直面に基礎となるＨ鋼（鉄骨）を一定間隔毎に並べて固定し、そこにゴム，発泡体等の弾衝材からなる防振板を立て、次いで防振板に平行してベニヤ板等よりなる型枠を設置する。このとき防振板と型枠との間隔は施工しようとするコンクリート壁体の厚みと同じにする。
【０００３】
型枠はボルト，ナット，座金を用いて保持される。このボルトの一端は防振板を貫通してＨ鋼に設けられたボルト穴に取り付けられ、他端で型枠を固定する。このボルト，ナットにより固定する箇所の数は壁体の大きさや厚みにより適宜決めればよい。
【０００４】
次いで、防振板と型枠との間に鉄筋を配筋する。一般に鉄筋は防振板と型枠とのほぼ中央部にそれらと平行して配筋される。
【０００５】
その後、防振板と型枠との間にコンクリートを流し込み、硬化させることによりコンクリート壁体を形成する。コンクリートが固まった後、ボルト切断又はナットを取り外して型枠を取り外す。型枠の内側に配していた座金を外すとコンクリート壁体に座金の分だけ凹部が生じるので、凹部から突出したボルトの端部を切断し、凹部をコンクリートで埋める。ボルトは壁体から突出して切断された部分を除き壁体中に残されることとなる。
【０００６】
このように施工した場合、地盤側からの振動は防振板によりある程度吸収されるため、コンクリート壁体に伝わる振動はある程度抑制される。
【０００７】
【発明が解決しようとする課題】
しかしながら、地盤の振動はある程度振動板により吸収されるとしてもＨ鋼から型枠固定に用いたボルトに伝わる。ボルトとコンクリートは共に剛体であり、しかも直接接しているため、そのボルトを伝わって来た地盤の振動はコンクリート壁体にダイレクトに伝わり、コンクリート壁体が振動して振動音が生じる。
【０００８】
このような壁面の振動により生ずる振動音はできるだけ小さいことが望ましく、特に図書館，音楽ホール等の静かな環境が求められる建築物においては問題となる。
【０００９】
【課題を解決するための手段】
本発明の型枠固定ステーは一端がＨ鋼(1)などの鉄骨に取着され、型枠を保持するための部材であり、構成としては芯体(6)の周囲に弾性体(8)が配され、その弾性体(8)の外周に金属製の鞘管(5)を備えると共に、鉄骨と鞘管(5)との間に弾性部材からなる座金(7b)が取着されていることを特徴とする。
【００１０】
【作用】
Ｈ鋼(1)から芯体(6)に伝わってくる振動は、芯体(6)の周囲に配されたゴム等の弾性体(8)により吸収され、コンクリート壁体(4)に直接伝わらない。よって、コンクリート壁体(4)の振動を抑制することができる。
【００１１】
そして、弾性体(8)の外周に金属製の鞘管(5)を取り付け、コンクリートと該弾性体(8)とが接触しないようにしているので、長期にわたって型枠固定ステーからコンクリート壁体(4)へと伝わる振動に対して防振性を維持することができる。なお、Ｈ鋼(1)などの鉄筋から鞘管(5)へと伝わる振動は弾性材(8)によりある程度吸収されるが、鉄骨と鞘管(5)との間には弾性部材からなる座金(7b)が取着されているので、鉄筋から鞘管(5)へと伝わる振動を無くし、防振性能をより向上させることができる。
【００１２】
【実施例】
以下、本発明を好適な実施例を用いて説明する。
［実施例１］
図１は本発明の型枠固定ステーを用いた鉄筋コンクリート壁体の施工工程を示した図であリ、図２はその断面図である。また、図３は型枠を外した状態を示した図であり、図４は完成時の断面図である。
【００１３】
地盤（９）に垂直に溝を掘り、その溝の壁面にＨ鋼（１）を設置する。Ｈ鋼（１）のコンクリート壁に面することとなる取付面（１ａ）にはゴム又は発泡体よりなる防振板（３）が配される。
【００１４】
型枠（２）は型枠固定ステーにより防振板（３）と一定の間隔を保った状態で固定する。この型枠（２）と防振板（３）との間のスペースがコンクリート打設用スペースとなる。
【００１５】
型枠固定ステーは、図５に示したようにネジが切られた金属製の芯体（６）の外周にゴム等の弾性材（８）が配され、更に弾性材（８）の外周にスチールパイプよりなる鞘管（５）が配されている。弾性材（８）と鞘管（５）の長さは芯体（６）の長さより短く、鞘管の両端には座金（７ａ），（７ｂ）が備えられている。尚、弾性材（８）の外周に鞘管（５）を配したのは、弾性材として用いたゴムがコンクリートと直接接することを防止して、コンクリートによるゴムの変質，腐食等の悪影響を少なくするためである。
【００１６】
型枠固定ステーの一端はＨ鋼（１）の取付面（１ａ）に設けられたネジ穴に芯体（６）がねじ込まれることで固定されている。他端は２枚の座金（７ａ）で両側から型枠（２）を挟み、ナット（１３）で締め付けて型枠を固定している。
【００１７】
鉄筋（１０）が配筋された後に防振板（３）と型枠（２）との間にコンクリートを流し込む。コンクリートが固まれば内部に鉄筋（１０）を有したコンクリート壁（４）となっているので、ナット（１３）を外し型枠（２）をコンクリート壁（４）から取り外す。そしてコンクリート壁（４）に接していた座金（７ａ）も取り外ずし、突出している芯体（６）を切断する。この状態を図３に示す。またそのときの型枠固定ステーの拡大断面図を図６に示す。コンクリート壁体の型枠に接していた側の表面には座金（７ａ）の分だけ凹部が生じるので、図４に示すようにコンクリートでその凹部を埋める（１１）。
【００１８】
地盤(9)からの振動はＨ鋼(1)から芯体(6)に伝わるが周囲の弾性材(8)により吸収され、コンクリート壁体へ伝わりにくい。また、座金(7b)から鞘管(5)に伝わった振動も内側の弾性材(8)により吸収される。しかしながら、ゴムリング等の弾性部材からなる座金(7b)を使用すれば鞘管(5)を介して伝わる振動を更に少なくすることができる。
【００１９】
尚、本実施例において、座金（７ａ）を取り除いた後に生じる凹部をコンクリートでその埋める（１１）かわりに、凹部にゴム等の弾性体よりなり座金（７ａ）と外径及び厚みが同じ大きさのパッキン部材を取り付けたり、硬化後も弾性を示す樹脂等を凹部に充填してもよい。これらの場合は、芯体（６）の切断面や鞘管（５）の端面から伝わる振動をパッキン部材や充填樹脂により吸収し、芯体（６）から壁体へ伝わる振動を更に少なくすることができる。この場合は壁体表面にパッキン部材や充填樹脂が露出することになるが、建築物完成後も当該コンクリート壁面が直接目に触れ外観上問題があるような場合はパッキン部材や充填樹脂をコンクリートと同色にすると目立たない。また、前記パッキン部材の厚さを凹部の厚さより薄くし、凹部にパッキン部材を配した後にその上からコンクリートを充填することによりパッキン部材を壁表面に露出させないことも可能である。
【００２０】
［実施例２］
弾性材（８）の外周にスチールパイプよりなる鞘管（５）を備えない以外は実施例１と同様な構成の型枠固定ステー（図示せず）を用いてコンクリート壁体を製作した。鞘管（５）を備えないので、鞘管（５）を介して伝わる振動を考慮する必要は無くなる。但し、弾性材（８）と打設するコンクリートが直接接触することとなるので、弾性材（８）としてはコンクリートにより変質，腐食等されない材質のものを選択する。
【００２１】
［実施例３］
実施例１と同様にしてコンクリート壁体（４）ができた後に発泡体よりなる防振板（３）を溶剤により溶かして取り除いた。そのときの状態を図７及び図８に示す。
【００２２】
これにより防振板（３）があった位置には間隙（３Ａ）が生じる。この間隙（３Ａ）により地盤（９）の振動はさらに伝わりにくくなる。なお、本実施例では防振板（３）を取り除く手段として溶剤による溶解を行ったが他の手段で取り除いてもよい。
【００２３】
［実施例４］
図９及び図１０に弾性体が壁面に露出する実施例を示す。本実施例では実施例１の同様に芯体（６）の外周に弾性体（８ａ）が配されており、その弾性体（８ａ）の外周に鞘管（５）が備えられているが、弾性体（８ａ）の長さは鞘管（５）より長くなっている。また、型枠（２）を両側から挟み込む座金の内、コンクリート壁体（４）側に用いるものを実施例１に用いた座金（７ａ）とは異なる内径の座金（７ｃ）を使用する。この座金（７ｃ）は内径を弾性材（８）の外径（及び鞘管（５）の内径）と同じとしたものであり、弾性体（８）端部の外周に配して用いるものである。よって、本実施例における弾性体（８ａ）は、実施例１の弾性体（８）よりも座金（７ａ），（７ｃ）の厚み分だけ長くなっている。
【００２４】
コンクリートが硬化した後に型枠（２）を外すと、弾性体（８ａ）は壁面と面一になっているので、そこから突出している芯体（６）を切断すると共に、座金（７ｃ）を外して座金（７ｃ）と同形状のゴムリング（１２）を代わりに取り付けた。本実施例では芯体（６）から伝わる振動を少なくすることができると共に、鞘管（５）端部から伝わる振動をゴムリング（１２）により抑制することができる。
【００２７】
なお、本発明は上記各実施例に限定されるものではなく、例えば上記各実施例を複数組み合わせたような場合も本発明に含まれる。また、スチールパイプの代わりにセラミックパイプを使う場合のように、本発明の技術思想に反しない範囲で適宜行い得る材質の変更等も本発明に含まれることはいうまでもない。
【００２８】
【発明の効果】
以上述べたように本発明により外部からコンクリート壁体に伝わる振動を効果的に遮断し、建築物の振動を抑制することができる。
【図面の簡単な説明】
【図１】製作時の構成を示した図。
【図２】製作時の断面図  。
【図３】型枠を外した状態を示した図。
【図４】完成時の断面図。
【図５】本発明の型枠固定ステーの構成を示す断面図。
【図６】本発明の型枠固定ステーの切断面を示した図。
【図７】実施例３の構成を示した図。
【図８】実施例３の断面図。
【図９】実施例４の構成を示した図。
【図１０】実施例４の断面図。
【図１１】実施例５の断面図。
【符号の説明】
（１）      Ｈ鋼
（１ａ）      Ｈ鋼の防振板に接する面（取付面）
（２）            型枠
（３）      防振板
（３Ａ）      間隙
（４）            コンクリート壁体
（５）            枠型固定ステーの鞘管
（６）            枠型固定ステーの芯体
（７）        座金
（８）          弾性材（ゴム）
（９）      地盤
（１０）        鉄筋
（１１）          埋め跡
（１２）          ゴムリング
（１３）          ナット
【図１】
0003584077.tif 000002
【図２】
0003584077.tif 000003
【図３】
0003584077.tif 000004
【図４】
0003584077.tif 000005
【図５】
0003584077.tif 000006
【図６】
0003584077.tif 000007
【図７】
0003584077.tif 000008
【図８】
0003584077.tif 000009
【図９】
0003584077.tif 000010
【図１０】
0003584077.tif 000011